【事件の表示】
　特願２０００−２７７３６９「プリンタ付カメラ」拒絶査定不服審判事件〔平成１４年３月２７日出願公開、特開２００２−９０８６４〕について、次のとおり審決する。
【結　論】
　本件審判の請求は、成り立たない。
【理　由】
第１　手続の経緯
　本願は、平成１２年（２０００年）９月１２日に出願された特願２０００−２７７３６９号の特許出願であって、原審において平成１７年１月６日付の拒絶理由を通知したところ、平成１７年３月２２日付の意見書とともに明細書を補正する手続補正書が提出され、前記拒絶理由により平成１７年５月１９日付で拒絶査定がなされ、前記拒絶査定を不服として平成１７年６月２３日に拒絶査定不服審判が請求されるとともに、平成１７年７月２５日付で明細書を補正する手続補正書が提出されたものである。
　
第２　平成１７年７月２５日付の手続補正についての補正の却下の決定
　
［補正の却下の決定の結論］
　平成１７年７月２５日付の手続補正を却下する。
　
［理由］
１．補正の内容
　平成１７年７月２５日付の手続補正（以下、この補正を「
本件補正
　「【請求項１】　撮影用閃光照明装置と、プリンタとを有するプリンタ付カメラであって、
　少なくとも前記撮影用閃光照明装置本体に電力を供給する電池と、
　前記電池から供給される電力を入力とし、前記撮影用閃光照明装置を駆動するための電源と前記プリンタの印刷用又はポンピング用の電源とをそれぞれ供給するための異なる出力を有する共通の昇圧回路と、
　前記共通の昇圧回路の前記異なる出力をそれぞれ選択するための選択的電源供給手段とを備えることを特徴とするプリンタ付カメラ。
　　【請求項２】　カメラモードとプリンタモードとを選択的に設定するモード設定手段を有し、前記選択的電源供給手段は、前記カメラモードが設定されているとき、前記共通の昇圧回路から前記撮影用閃光照明装置を駆動するための電源の供給を行い、前記プリンタモードが設定されているとき、前記共通の昇圧回路を用いて前記プリンタの印刷用又はポンピング用の電源の供給を行うことを特徴とする請求項１記載のプリンタ付カメラ。」
の記載を、
　「【請求項１】　撮影用閃光照明装置と、プリンタとを有するプリンタ付カメラであって、
　少なくとも前記撮影用閃光照明装置本体に電力を供給する電池と、
　前記電池から供給される電力を入力とし、前記撮影用閃光照明装置を駆動するための電源と前記プリンタの印刷用又はポンピング用の電源とをそれぞれ供給するための異なる出力を有する共通の昇圧回路と、
　
カメラモードとプリンタモードとを選択的に設定するモード設定手段と、
前記共通の昇圧回路の入力側に前記電池からの電力を供給した状態で、
順次排他的に
、
前記選択的電源供給手段は、前記カメラモードが設定されているとき、前記共通の昇圧回路の１つの出力を排他的に選択することによって前記昇圧回路から前記撮影用閃光照明装置を駆動するための電源の供給を行い、次に前記プリンタモードが設定されると、前記共通の昇圧回路の異なる出力を排他的に選択することによって前記プリンタの印刷用又はポンピング用の電源の供給を行う
と補正することを含むものである。
　
２．補正の適否の検討
　本件補正の請求項１についての補正は、補正前の請求項１に記載されていた発明特定事項に、削除した補正前の請求項２に記載されていた「カメラモードとプリンタモードとを選択的に設定するモード設定手段を有し、前記選択的電源供給手段は、前記カメラモードが設定されているとき、前記共通の昇圧回路から前記撮影用閃光照明装置を駆動するための電源の供給を行い、前記プリンタモードが設定されているとき、前記共通の昇圧回路を用いて前記プリンタの印刷用又はポンピング用の電源の供給を行うこと」の発明特定事項を付加することにより限定するとともに、「前記共通の昇圧回路の入力側に前記電池からの電力を供給した状態で」、「順次排他的に選択する」及び「前記共通の昇圧回路の１つの出力を排他的に選択することによって」の各発明特定事項を付加することにより限定するものであるから、同法第１７条の２第４項第２号の「特許請求の範囲の減縮」を目的とするものに該当する。
　
　上記のとおり、請求項１についての本件補正が、特許法第１７条の２第４項第２号の「特許請求の範囲の減縮」を目的とする補正であるので、本件補正後の請求項１に記載された発明が特許出願の際独立して特許を受けることができるものであるか否か、すなわち、特許法第１７条の２第５項において準用する同法第１２６条第５項の規定に適合するか否かについて、以下に検討する。
　
３．独立特許要件の有無
（１）本願の本件補正後の発明
　本件補正後の請求項１に記載された発明（以下、これを「
本願補正発明
　「【請求項１】　撮影用閃光照明装置と、プリンタとを有するプリンタ付カメラであって、
　少なくとも前記撮影用閃光照明装置本体に電力を供給する電池と、
　前記電池から供給される電力を入力とし、前記撮影用閃光照明装置を駆動するための電源と前記プリンタの印刷用又はポンピング用の電源とをそれぞれ供給するための異なる出力を有する共通の昇圧回路と、
　カメラモードとプリンタモードとを選択的に設定するモード設定手段と、
　前記共通の昇圧回路の入力側に前記電池からの電力を供給した状態で、前記異なる出力をそれぞれ順次排他的に選択するための選択的電源供給手段とを備え、
　前記選択的電源供給手段は、前記カメラモードが設定されているとき、前記共通の昇圧回路の１つの出力を排他的に選択することによって前記昇圧回路から前記撮影用閃光照明装置を駆動するための電源の供給を行い、次に前記プリンタモードが設定されると、前記共通の昇圧回路の異なる出力を排他的に選択することによって前記プリンタの印刷用又はポンピング用の電源の供給を行うことを特徴とするプリンタ付カメラ。」
　
（２）引用刊行物及び周知技術文献
ア．原審における拒絶査定の理由に引用された刊行物であって本願特許出願前に頒布された特開平９−１１６８４３号公報（以下、「
引用刊行物１
「【０００１】【発明の属する技術分野】　本発明は複合カメラ、より具体的には銀塩写真フィルムを使用したスチルカメラと画像プリンターを一体的に構成可能としたプリンター付撮影装置に関するものである。」
「【００１５】　ストロボ発光部は、周知の通り発光体にＸｅ管（キセノン管）等を用いて電気エネルギーを与えて発光させ、暗い被写体に照射して撮影するものである。このストロボ発光部は一般的に電源電圧を発振回路及び昇圧回路等を用いて２６０Ｖ以上、フル充電で３００Ｖから３６０Ｖ程度にメインコンデンサーを充電し、これをトリガー回路によって撮影装置の露光時間内に放電・起爆させ、Ｘｅ管を発光させることでストロボ発光動作を行なっている。」
「【００１９】　本発明はこれらの問題点を考慮してなされたものであり、第１の目的としては、プリンター装置がプリント動作中にストロボ発光部のメインコンデンサーの充電によるプリンター装置のプリント不良を無くした装置を提供することにある。
　【００２０】　また、第２の目的としては、プリント動作を行なうことでストロボ充電に余分な時間がかかって次の撮影までに待ち時間が増えてしまうことのない装置を提供することにある。」
「【００２５】　更に、本発明のプリンター付撮影装置は、プリンター装置のプリント動作と撮影装置のストロボ発光部の動作とを制御する制御手段を有し、該制御手段はプリント動作終了とストロボ発光部の動作終了とを観察し、いずれかの動作の動作中に他の動作の指示がなされても、動作中の動作を終了して後に他の動作を開始することを特徴とする。こうして、個々の動作目的であるプリントアウト及びフラッシュとを個々に完遂できる。」
「【００３０】　図２は本実施例の複合カメラの中央断面の概念図である。本実施例の複合カメラにおけるスチルカメラ部は、撮影光学系と別に被写体を視認するファインダーを有するいわゆる２眼レフ式カメラをプリンター部の上部に配置し、スチルカメラ部とプリンター部の間にプリンター画像形成用の固体撮像素子を用いた第２の撮像光学系を配置したものである。」
「【００３９】　プリント動作はプリント開始ボタン１３ーｂによって開始され、ロール状に巻かれたプリンター用紙１０２４からプラテン１０００を介してプリンター用紙１０２４ａが引き出され印刷される。」
「【００４１】　又、１０２５はプリンター部及び撮影装置を駆動する為の電源電池であり、両者に対して共通に電力を供給する。」
「【００４７】　次に、本実施例によるプリント付カメラの制御関係について図３を参照しつつ説明する。図において、１はカメラ部とプリント部及びストロボ部分などを総合的に制御する制御手段、２はカメラ部を制御手段１の指示により露光時間、絞り度合い、フォーカス位置等について制御するカメラ制御部、３はカメラ制御部２の画像情報に従って、光学レンズ１０２８，鏡筒１０２９，１０３０等を含んで、銀塩フィルム１０３３に露光するカメラ部、１１はカメラ部３の動作に応じて、シャッター動作とともに発光するメインコンデンサーを内蔵したストロボ発光部である。また、４は制御手段１の制御信号の指示に従ってプリントするプリンタなどを制御するプリンタ制御部、５はプリンタ用画像を読み取る、光学レンズ１０３８，絞りユニット１０３９、光電変換するＣＣＤ１０４０等を含む撮像部、６はインクジェットプリンタＩＪＲＡを含むプリンタ部をドライブするプリンタエンジン部であり、メモリに内蔵された画像信号をプリントアウトする。また、１０は撮像部５から得られた光電子像信号をデジタル信号で記憶するメモリ部である。」
「【００４９】　撮影者がメインスイッチ電源を入力する（Ｓ１）と、制御手段１は該装置が前回使われて、電源がオフされてから３日以上（７２時間以上）経過しているか否かを判断する（Ｓ２）。もしも３日以上経過している場合には、制御手段１はプリンター部の制御を受け持つプリンター制御部４に回復ポンピングの指示を出してプリンターエンジン部６を駆動する（Ｓ３）。
　【００５０】　ここで回復ポンピングは、後述するインクジェット記録方式の装置において、より記録を有効にするものであって、プリント用紙への記録を行なう事前にインクジェットヘッドカートリッジ４００の記録ヘッドを吸引ポンプ等の手段によってクリーニングするものである。・・・」
「【００５４】　次に撮影者が実際に撮影を実行する為に、更にシャッターボタン１２を押し込むと、不図示の接点が導通しＳＷ２信号８が発生する（Ｓ７）。
　【００５５】　これによって制御手段１はカメラ制御部２を介してカメラ部３を駆動して焦点合わせの為のレンズ駆動やシャッターの速度制御、絞りの開口量制御、又必要であればストロボの発光等の一連の露光動作を行なう（Ｓ８）。
　【００５６】　ストロボの発光はカメラ制御部２によるシャッターの開口時間中に発生するＸ接点信号によって行なわれ、露出制御値をコントロールする受光センサー（不図示）が露出適正と判断すると、制御手段はストロボ発光部１１の発光動作を停止する（Ｓ９）。
　【００５７】　これと同時に制御手段１はプリンター制御部４を介して撮像部５を駆動し、固体撮像素子１０４０に入力している画像情報をメモリ部１０に取り込む（Ｓ１０）。
　【００５８】　この後撮影者がシャッターボタン１２を離すと、フィルムの巻き上げを行なう（Ｓ１１）。
　【００５９】　撮影者がプリントアウトしない場合はプリントボタン１３−ａでプリントしない方（ＮＯ）を選択することで制御手段１はカメラ制御部２を介してストロボ発光部１１のメインコンデンサーに充電動作を開始させる。
　【００６０】　一方プリントアウトを望む場合には、装置上面に配設されたプリントボタン１３−ｂでプリントする側（ＹＥＳ）を押すと、不図示の接点が導通しプリント信号ＰＲ９が発生する。
　【００６１】　これを受けて制御手段１はプリンター制御部４を介してプリンターエンジン部６を駆動してプリント動作を行なう。」
「【００９０】　また、２０２３は本装置の下部に脱着可能に取り付けられる２次電池で、本装置の全ての使用電力を供給する共通単一電源である。レンズユニット２００３の前方にはストロボ２０２４を組み込んだ開閉自在のバリヤ２０２５を配設する。・・・」
「【００９２】・・・２０３３は電源スイッチを兼ねた主モード選択スイッチであり、２０３４はプリント出力開始のプリントボタン、２０３５は銀塩撮影時に使用可能なスチル用シャッターボタンである。」
「【００９５】　また、２０３７はレンズユニット２００２の右側方に配置されたプリンターエンジンユニットであり、本実施例では第１の実施例と同一の構成であるインクジェット記録装置を使用しているがこれに限られたものではない。」
「【０１００】　本第２の実施例の装置においては、プリント動作の開始を指示するプリントボタン２０３４はプリント出力する場合のみ使用する様になっている。撮影装置はストロボ発光が終了し（Ｓ９）、フィルムの給送動作（Ｓ１１）が完了すると、続いてストロボの充電動作を行なう様に構成されていて、次の撮影への準備が素早く行なえるようにする。」
「【０１０２】　図１１はストロボ回路の構成を示したものであり、ＴＲはトランジスタ、Ｒは抵抗、Ｃはコンデンサー、Ｄはダイオードを表わしている。この図において、制御手段１はカメラ制御部２を介して充電スイッチ２００をオンすると、電源電池ＢＡＴＴから電源がトランジスタＴＲＳ１に供給され、発振トランスＴ１２０１によって発振、昇圧を行なう。この昇圧電圧をＤＳ１２０３に通した後、メインコンデンサＣＳ２２０２には通常フル電圧約３６０Ｖによって充電され、同時に充電中を示すネオン管の表示器Ｎｅを点灯し、充電を完了する。充電を完了すれば、充電スイッチはオフとなり、メインコンデンサＣＳ２２０２が充電された状態を表示器Ｎｅで点灯しつつ、カメラ制御部２のトリガー信号により、トランスＴ２を介してストロボランプのキセノン管Ｘｅをオンして、メインコンデンサＣＳ２２０２からの蓄電量に従って発光させ放電する。」
　
　そうすると、上記引用刊行物１における前記摘記事項及び添付図面における記載からみて、引用刊行物１には、次の発明（以下、これを「
引用発明
「スチルカメラと画像プリンターを一体的に構成したプリンター付撮影装置において、
　前記プリンター付撮影装置は、銀塩フィルムに露光するカメラ部、電源電圧を発振回路及び昇圧回路等を用いてストロボ発光動作を行なうストロボ発光部、プリンタ用画像を読み取るＣＣＤ等を含む撮像部、プリンター部、制御手段、電源スイッチを兼ねた主モード選択スイッチ、プリント出力するプリントボタン及びプリンター部と撮影装置とを駆動する為の共通単一電源の電池を有し、
　前記電源からプリンタ部及び撮影装置に対して共通に電力が供給され、
　メインスイッチ電源を入力すると、制御手段はプリンターエンジン部を駆動して回復ポンピングがなされ、
　シャッターボタンを押し込むと、制御手段はレンズ駆動やシャッターの速度制御、絞りの開口量制御、ストロボの発光等の一連の露光動作を行ない、シャッターボタンを離すと、制御手段はフィルムの巻き上げを行ない、続いてストロボの充電動作を行なう様に構成されていて、
　プリント動作の開始を指示するプリントボタンがプリント出力する場合のみ使用する様になっているプリンター付撮影装置」
　
イ．原審における拒絶査定の理由に引用された刊行物であって本願特許出願前に頒布された特開平１１−２６１８６９号公報（以下、「
周知技術文献１
「【特許請求の範囲】
　【請求項１】　被写体を撮像して撮像信号を出力するイメージセンサ、前記撮像信号をデジタル変換した画像データを記憶するメモリ、及び閃光装置を有するカメラ部と、
　前記メモリから読み出された１画面分の画像データに基づき記録材料にプリントするプリンタ、前記閃光装置に同期して発光するスレーブ発光式閃光装置を有するプリンタ部とを分離可能に設けたことを特徴とする電子カメラ。
　【請求項２】　前記カメラ部の閃光装置とプリンタ部の閃光装置とが電源を共用することを特徴とする請求項１記載の電子カメラ。
　【請求項３】　前記カメラ部の閃光装置とプリンタ部の閃光装置とが昇圧回路を共用することを特徴とする請求項２記載の電子カメラ。」
「【０００８】　なお、前記カメラ部の閃光装置とプリンタ部の閃光装置とが電源を共用することが好ましい。また、前記カメラ部の閃光装置とプリンタ部の閃光装置とが昇圧回路を共用することが好ましい。更に、前記各閃光装置の発光部は、カメラ部とプリンタ部とを連結した状態で、被写体に対面する位置に配置することが好ましい。」
「【００１１】【発明の実施の形態】　図１は、本発明を実施した電子スチルカメラの正面側の外観を示す斜視図である。電子スチルカメラ１０は、カメラ部１１とプリンタ部１２とから構成されている。」
「【００２６】　図７は、カメラ部１１側のストロボ装置３１の概略を示す回路図である。ストロボ装置３１は、周知のように、電源電池６４、昇圧回路６５、調光回路６６、フラッシュ発光回路６７、閃光管６８、メインコンデンサ６９から構成されている。なお、符号７０は整流用ダイオードを示している。昇圧回路６５は、メインスイッチ６９がオンになると、電池６４の低電圧を高電圧、例えば３００Ｖに昇圧して、この高電圧でメインコンデンサ６９を充電する。そして、昇圧回路６５は、メインコンデンサ６９が規定充電電圧まで充電されると、作動を停止して充電を停止する。メインコンデンサ６９が規定充電電圧まで充電された時にネオン管７２（図３参照）が点灯し、ストロボ発光の準備完了を知らせる。また、メインコンデンサ６９の充電とともにフラッシュ発光回路６７のトリガコンデンサが充電される。」
「【００２８】　図８に示すように、プリンタ部１２側のスレーブ発光式ストロボ装置１９も、カメラ部１１側のストロボ装置３１と基本的な構成は同じであり、図７に示すものと同一構成部材には同一符号を付して重複した説明を省略している。また、カメラ部側ストロボ装置３１のシンクロスイッチ７３の代わりに、スレーブ発光同調回路７６及びその受光部７７を備えている点で異なっている。そして、カメラ部側ストロボ装置３１の閃光管６８に臨む位置でライトガイド７８が配置されている。このライトガイド７８は、プリンタ部側のストロボ装置１９の前記スレーブ発光用受光部７７にストロボ光を導く。スレーブ発光同調回路７６は、受光部７７からの受光信号に基づきフラッシュ発光回路６７にシンクロ信号を送り、カメラ部側ストロボ装置３１の発光に同期させたスレーブ発光を行う。受光部７７は一体化されたとき以外にも多様な形態でのスレーブ発光が可能なように、プリンタ部１２の前側面、側面、背面からのストロボ光の受光が可能なように、図示しない開口が形成されている。符号７９は、スレーブ発光式ストロボ装置１９のメインスイッチを示す。」
「【００５２】　また、図１２に示すように、電源電池としてカメラ側のもの１０７を用い、昇圧回路をプリンタ部側のもの１０８を用いてもよい。」
　
ウ．本願特許出願前に頒布された刊行物である特開２０００−１１５６８８号公報（以下、「
周知技術文献２
「【００５７】　図７は、図１の印刷機能付きデジタルカメラシステムに好適な電源回路の構成例を示すブロック図である。電源をしては、ＡＣアダプタ７０１と、リチウムイオン電池の組み電池で構成される２次電池パック７０２とがある。ここで、７０３はＯＲ（論理和）ゲート、７０４はパワーコントロールユニットである。また、７０５はロジック電圧供給用電源を生成するロジック用ＤＣ／ＤＣコンバータユニット、７０６はアクチュエータ駆動用電源を生成するモータ用ＤＣ／ＤＣコンバータユニット、７０７はヘッド駆動用電源を生成するヘッド用ＤＣ／ＤＣコンバータユニット、７０８は２次電池パック充電用電源を生成する充電用ＤＣ／ＤＣコンバータユニットである。
　【００５８】　図８は、上記２次電池パック７０２の構成例を示す回路図である。制御部８０１は、直列に接続している２次電池８０２，８０３の残量検知、充電制御、ＩＤ管理、電圧／電流検出をしている。パワーＦＥＴ（電界効果トランジスタ）８０４，８０５は電源ラインのＯＮ／ＯＦＦを制御し、そのラインに直列に温度ヒューズ８０６とポリスイッチ８０７が保護素子として挿入されている。また、制御部８０１から電池パック情報をシリアルデータとして出力する端子を備えている。
　【００５９】　この電源の少なくとも一方の供給を受けることで図７のパワーコントロールユニット８０４が起動し、各ＤＣ／ＤＣコンバータユニット７０５〜７０８を必要に応じて駆動する。」
　
エ．本願特許出願前に頒布された刊行物である実願昭５３−１５５８５５号（実開昭５５−７１３３１号）のマイクロフィルム（以下、「
周知技術文献３
「２．実用新案登録請求の範囲
（１）自動焦点調節装置とストロボとを内蔵したカメラにおいて、前記ストロボの昇圧回路で昇圧した電圧を取り出して自動焦点調節装置に供電するようにしたことを特徴とするカメラの電源回路。
（２）前記昇圧回路の二次コイルに中間タップを設けて、この中間タップから昇圧された電圧を取り出して自動焦点調節装置に供電するようにしたことを特徴とする実用新案登録請求の範囲第１項記載のカメラの電源回路。」（明細書１頁３〜１３行）
「本考案はカメラの電源回路に関し、さらに詳しくはストロボと自動焦点調節装置の昇圧回路を兼用したカメラの電源回路に関するものである。」（明細書１頁１５〜１８行）
「本案装置は、ストロボ内蔵カメラでは、ストロボ用の昇圧回路を備えていることに着目し、この昇圧回路を自動焦点調節装置の昇圧回路としても用いるようにしたことを特徴とするものである。」（明細書３頁７〜１１行）
「前記ストロボの昇圧回路４の二次コイル１０に中間タップ１０ａが設けられており、ここから約６Ｖに昇圧された交流電圧を取り出すことができるようにしてある。この中間タップ１０ａから取り出した交流電圧は、・・・６Ｖの電圧を出力する。３端子レギュレータ２３から出力された６Ｖの電圧は、自動焦点調節装置２６のモジュールに印加され、これを駆動する。」（明細書５頁１３行〜６頁４行）
「二次コイル１０で昇圧された電圧は、ストロボ回路に供電され、別の二次コイル３０で昇圧された電圧は自動焦点調節装置２６に供電される。」（明細書９頁１０〜１４行）
　
（３）対比及び一致点・相違点
　本願補正発明と前記引用発明とを対比すると、引用発明における「ストロボ発光部」、「プリンター部」、「プリンター付撮影装置」、「共通単一電源の電池」及び「昇圧回路」のそれぞれが、本願補正発明の「撮影用閃光照明装置」、「プリンタ」、「プリンタ付カメラ」、「電池」及び「昇圧回路」のそれぞれに相当する。
　また、引用発明における「前記電源からプリンタ部及び撮影装置に対して共通に電力が供給され」の技術事項は、本願補正発明の「電源供給手段」に相当する。
　そうすると、本願補正発明と引用発明とは、「撮影用閃光照明装置と、プリンタとを有するプリンタ付カメラであって、少なくとも前記撮影用閃光照明装置本体に電力を供給する電池と、前記電池から供給される電力を入力とし、前記撮影用閃光照明装置を駆動するための電源を供給するための出力を有する昇圧回路と、電源供給手段とを備え、前記電源供給手段は、前記昇圧回路の出力を前記昇圧回路から前記撮影用閃光照明装置を駆動するための電源の供給を行うプリンタ付カメラ」である点で、両者の構成が一致し、次の点で構成が相違する。
　
相違点１
　
相違点２
　
相違点３
　
（４）相違点についての判断
ア．相違点１について
　撮影用閃光照明装置を駆動するための電源の供給を行う昇圧回路を、他の装置の電源の供給のための昇圧回路と共通化することは、本件特許出願時の周知技術（その例としては、上記
周知技術文献１
周知技術文献３
　また、プリンタの印刷用の電源として、共通の昇圧回路からの出力を電源とすることも、本件特許出願時の周知技術（その一例としては、上記
周知技術文献２
　そうしてみると、引用発明に前記周知技術を適用することにより、本願補正発明の上記相違点１に係る「プリンタの印刷用の電源を供給するための異なる出力を有する共通の昇圧回路を備える」構成とすることは、当業者が困難性を伴うことなく容易になし得ることである。
　そして、前記「プリンタの印刷用の電源」を「ポンピング用の電源」に置き換えた「ポンピング用の電源を供給するための異なる出力を有する共通の昇圧回路を備える」構成とすることも、当業者が困難性を伴うことなく容易になし得ることである。
　
イ．相違点２について
　引用発明は、電源スイッチを兼ねた主モード選択スイッチとプリント出力するプリントボタンとを備えており、しかも、プリント動作の開始を指示する前記プリントボタンが、プリント出力する場合のみ使用する様になっていることを参酌すると、引用発明においても、電源スイッチを兼ねた主モード選択スイッチを入にした状態で、カメラモードで撮影した後に、プリントするか或いはプリントしないかの選択は、プリント出力するプリントボタンを入にするか或いは入にしないかの選択で決定することができる。換言すれば、引用発明では、プリントボタンの入・切の選択により、カメラモードから引き続きプリントするかどうかを選択的に設定することができるのであり、しかも、引用発明においては、カメラモードにおけるストロボの発光動作とプリンタのプリント動作とが同時に動作しないように制御手段により制御されている。
　そうしてみると、引用発明における上記のようなプリント動作の開始のためのプリントボタンの入・切の選択と、電源スイッチを兼ねた主モード選択スイッチの入・切の選択を一つにまとめることにより、本願補正発明のような「カメラモードとプリンタモードとを選択的に設定する選択的モード設定手段」に変更する程度のことは、当業者が容易に想到できることである。
　
ウ．相違点３について
　本件特許出願時の周知技術である共通の昇圧回路を用いて、複数の装置を同時に使用する場合には、必要な電圧が個々の装置に供給確保できなくなることは十分に予想できるのであり、それを未然に防ぐために、共通の昇圧回路を切り換えて選択使用することは、当然のことである。
　そして、引用刊行物１には、その段落【００２５】に「更に、本発明のプリンター付撮影装置は、プリンター装置のプリント動作と撮影装置のストロボ発光部の動作とを制御する制御手段を有し、該制御手段はプリント動作終了とストロボ発光部の動作終了とを観察し、いずれかの動作の動作中に他の動作の指示がなされても、動作中の動作を終了して後に他の動作を開始することを特徴とする。こうして、個々の動作目的であるプリントアウト及びフラッシュとを個々に完遂できる。」と記載されている。
　そうしてみると、引用発明に周知技術である共通の昇圧回路を適用する際に、共通の昇圧回路を切り換えて選択使用するために、引用発明の電源供給手段を、異なる出力をそれぞれ順次排他的に選択するための選択的電源供給手段に変更することにより、本願補正発明の相違点３に係る構成を得ることは、当業者が容易に想到できることである。
　
　そして、本願補正発明の奏する作用・効果は、上記引用発明及び周知技術から予測できる範囲内のものであって、格別顕著のものということができない。
　
エ．まとめ
　したがって、本願補正発明は、上記引用発明及び周知技術に基いて当業者が容易に発明をすることができたものであるから、本願補正発明は特許法第２９条第２項の規定により、特許を受けることができない。
　
（５）むすび
　以上のとおりであり、本件補正後の特許請求の範囲に記載された請求項１に係る発明が、特許法第１７条の２第５項において準用する同法第１２６条第５項に規定するところの「特許出願の際独立して特許を受けることができるもの」に適合していないから、本件補正は、同法第１５９条第１項において読み替えて準用する同法第５３条第１項の規定により却下すべきものである。
　
第３　本願発明について
１．本願発明
　上記「第２」欄に前述した理由により、平成１７年７月２５日付の手続補正が却下されたことにより、当審が審理すべき本願発明は、平成１７年３月２２日付の手続補正により補正された明細書の特許請求の範囲の請求項１及び請求項２に記載された事項により特定されるとおりのものであるところ、特にその請求項１に係る発明は、次のとおりのものである（上記「第２」の「１．補正の内容」欄を参照）。
「【請求項１】　撮影用閃光照明装置と、プリンタとを有するプリンタ付カメラであって、
　少なくとも前記撮影用閃光照明装置本体に電力を供給する電池と、
　前記電池から供給される電力を入力とし、前記撮影用閃光照明装置を駆動するための電源と前記プリンタの印刷用又はポンピング用の電源とをそれぞれ供給するための異なる出力を有する共通の昇圧回路と、
　前記共通の昇圧回路の前記異なる出力をそれぞれ選択するための選択的電源供給手段とを備えることを特徴とするプリンタ付カメラ。」（以下、これを「
本願発明１
　
２．引用刊行物及び該引用刊行物の記載事項
　原審における拒絶査定の理由に引用された刊行物であって本願特許出願前に頒布された引用刊行物１及び本願特許出願前に頒布された周知技術文献１ないし周知技術文献３には、上記「第２」の「３．独立特許要件の有無」の「（２）引用刊行物及び周知技術文献」のア．ないしエ．欄に摘記したとおりの技術事項が記載されており、そして、前記引用刊行物１に記載されている発明（引用発明）は、前記「ア．」欄に前示のとおりである。
　
３．対比・判断
　本願発明１は、本願補正発明から、上記「第２」の「２．補正の適否の検討」欄で述べた構成の限定を省いたものである。
　そうすると、本願発明１の構成要件をすべて含み、さらに他の構成要件を付加したものに相当する本願補正発明が、前記「第２」の「３．独立特許要件の有無」の「（４）相違点についての判断」欄及び「（５）むすび」欄に記載したとおり、引用刊行物１に記載された発明及び周知技術文献１ないし周知技術文献３に記載された周知技術に基づいて、当業者が容易に発明をすることができたものであるから、本願発明１も、本願補正発明と同様の理由により、引用刊行物１に記載された発明及び周知技術文献１ないし周知技術文献３に記載された周知技術に基づいて、当業者が容易に発明をすることができたものである。
　
４．むすび
　以上のとおり、本願発明１は、引用発明及び周知技術に基いて当業者が容易に発明をすることができたものであり、本願発明１が特許法第２９条第２項の規定により特許を受けることができないから、他の請求項に係る発明についての検討をするまでもなく、本願は拒絶すべきものである。
　よって、結論のとおり審決する。